【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】
陽極及び蛍光体を内面に有する前面基板と、
一方向に延在し前記一方向に交差する他方向に並設された第１の電極配線と、前記第１の電極配線と非接触で配置され、かつ前記他方向に延在し前記一方向に並設された第２の電極配線とを内面に有して前記前面基板と所定の間隔を有して対向配置される背面基板と、
前記前面基板と前記背面基板との間に表示領域を周回して介挿され、前記所定の間隔を保持する封止枠体とを有し、
前記第１の電極配線と前記第２の電極配線の間に電位差を与えることにより電子ビームを引き出し、この電子ビームを前記前面基板の蛍光体に射突させることにより画像表示を行う画像表示装置において、
前面前面基板と前記背面基板との間に配置され、かつ前記電子ビームを通過させる開口を有するサージ電流吸収電極を備え、
前記陽極と前記サージ電流吸収電極との間に導電性スペーサを介在させたことを特徴とする画像表示装置。
【請求項２】
前記サージ電流吸収電極は、接地面との間に直流バイアス電源とスパークギャップとが並列接続されたことを特徴とする請求項１に記載の画像表示装置。
【請求項３】
前記サージ電流吸収電極は、接地面との間に直流バイアス電源とツェナーダイオードとが並列接続されたことを特徴とする請求項１に記載の画像表示装置。
【請求項４】
前記サージ電流吸収電極は、複数の電子ビーム通過孔を有する板状電極としたことを特徴とする請求項２または請求項３に記載の画像表示装置。
【請求項５】
前記サージ電流吸収電極は、複数の電子ビーム通過孔を有する網状電極としたことを特徴とする請求項２または請求項３に記載の画像表示装置。
【請求項６】
前記サージ電流吸収電極は、単一の電子ビーム通過開口を有する板状電極としたことを特徴とする請求項２または請求項３に記載の画像表示装置。
【手続補正２】
【補正対象書類名】明細書
【補正対象項目名】０００８
【補正方法】変更
【補正の内容】
【０００８】
【発明が解決しようとする課題】
しかしながら、このように構成されるＦＥＤは、陽極ＡＤＥと陰極配線ＣＬとの間の対向間が数ｍｍ程度の寸法を有して構成されており、陽極ＡＤＥには蛍光体ＰＨＳを効率良く発光させるために５ｋＶ〜３０ｋＶ程度の高電圧が印加され、また、制御電極Ｇ１には約１ｋＶ以下の電圧が、さらに陰極Ｋには数百Ｖ程度の電圧がそれぞれ印加される。このためにＦＥＤでは、陽極電圧が他の各電極電圧と比較して高いため、陽極ＡＤＥと他の電極の間である程度の確率で異常放電が発生してしまう可能性が常に存在していた。
【手続補正３】
【補正対象書類名】明細書
【補正対象項目名】０００９
【補正方法】変更
【補正の内容】
【０００９】
また、図６に示すような電極構造を有するＦＥＤでは、異常放電は、陽極ＡＤＥと制御電極Ｇ１との間または陽極ＡＤＥと陰極Ｋとの間に発生するために、制御電極Ｇ１及び陰極Ｋの電位が陽極ＡＤＥと同程度に上昇する。この結果、制御電極Ｇ１及び陰極Ｋの各駆動回路に陽極電位が印加されることになる。制御電極Ｇ１及び陰極Ｋの各駆動回路の定格電圧は精々数百Ｖ程度であるので、その耐圧特性は陽極電圧に対して安全係数を見込んだものでなければ、異常放電発生時に各駆動回路が破壊されてしまう。
【手続補正４】
【補正対象書類名】明細書
【補正対象項目名】００１０
【補正方法】変更
【補正の内容】
【００１０】
このような問題を解決するものとしては、ＦＥＤでは、通常、制御電極Ｇ１及び陰極Ｋはマトリクス駆動を行っているため、各駆動回路では各行配線及び各列配線毎に異常放電の防止対策を行う必要がある。したがって、各駆動回路の素子数が配線数量分必要となり、部品コスト上昇の大きな要因となる。また、耐圧特性が十分な駆動回路では、その定格電圧に対して耐圧特性が異常に高いため、駆動回路素子自体が高駆動電圧なものと同等な価格となってしまい、やはり部品コストの上昇を招くことになる。なお、従来からこのような観点から異常放電の発生に対する防止対策について考慮されたものは見当たらない。
【手続補正５】
【補正対象書類名】明細書
【補正対象項目名】００１１
【補正方法】変更
【補正の内容】
【００１１】
したがって、本発明は、前述した従来の課題を解決するためになされたものであり、その目的は、陽極と他の各電極との間で異常放電が発生したときにその高電圧を吸収させることにより、各駆動回路の耐圧を低く抑え、これによって駆動回路素子のコストを低減させる。そして、異常放電の発生を抑制することにより、品質及び信頼性を向上させることができる画像表示装置を提供することにある。
【手続補正６】
【補正対象書類名】明細書
【補正対象項目名】００１７
【補正方法】変更
【補正の内容】
【００１７】
また、この背面パネルＰＮ１上には、陰極配線ＣＬと非接触状態で交差し、かつｘ方向に延在し、ｙ方向に並設されて、陰極配線ＣＬとの交差部に画素を形成して陰極Ｋから放出する電子Ｅを前面パネルＰＮ２側に通過させる複数の電子通過孔ＥＨＬを有する制御電極Ｇ１が非接触状態で対向配置されている。
【手続補正７】
【補正対象書類名】明細書
【補正対象項目名】００２０
【補正方法】変更
【補正の内容】
【００２０】
なお、この陰極配線ＣＬは、例えば銀などを含む導電性ペーストを印刷などによりパターニングし、焼成して形成されている。また、これらの陰極配線ＣＬの交差部分の上面（前面基板ＳＵＢ２側）に配置される陰極Ｋは、例えばカーボンナノチューブ（ＣＮＴ）が用いられており、一例として銀、ホウ素、カーボンナノチューブを含むペースト（Ａｇ−Ｂ−ＣＮＴペースト）を印刷などによりパターニングさせ、焼成して形成されている。
【手続補正８】
【補正対象書類名】明細書
【補正対象項目名】００２４
【補正方法】変更
【補正の内容】
【００２４】
このとき、各駆動回路の定格振幅電圧をＶｓ、各駆動回路の耐電圧をＶｍａｘ、サージ電流吸収電極Ｇ２の直流バイアス電圧をＶｆ、スパークギャップＳＧの耐電圧（スパークギャップＳＧの放電開始電圧）をＶｏとしたとき、このスパークギャップＳＧの耐電圧は、Ｖｓ，Ｖｆ＜Ｖｏ＜Ｖｍａｘの関係であれば良い。
【手続補正９】
【補正対象書類名】明細書
【補正対象項目名】００３０
【補正方法】変更
【補正の内容】
【００３０】
図４は、本発明による画像表示装置に係わるサージ電流吸収電極のさらに他の実施例による構成を示す斜視図である。図４において、図１と異なる点は、このサージ電流吸収電極Ｇ２２には、表示領域内を通過する全ての電子ビーム群を通過させる単一の電子ビーム通過開口ＡＨＬ２が形成されている。さらにこのサージ電流吸収電極Ｇ２２には、接地面との間にスパークギャップＳＧと直流バイアス電源ＤＣＧが並列接続されて構成されている。
【手続補正１０】
【補正対象書類名】明細書
【補正対象項目名】００３３
【補正方法】変更
【補正の内容】
【００３３】
このような構成においても、陽極と陰極及び制御電極との間に異常放電が発生したときに、直流バイアス電源ＤＣＧが接続された各サージ電流吸収電極Ｇ２１，Ｇ２２，Ｇ２３で高電圧を吸収することができるので、各駆動回路に高電圧が印加される危険性を除去することができる。
【手続補正１１】
【補正対象書類名】明細書
【補正対象項目名】００３６
【補正方法】変更
【補正の内容】
【００３６】
なお、前述した各実施例においては、画像表示装置としてカーボンナノチューブ（ＣＮＴ）電子源を用いたフィールドエミッションディスプレイ（ＦＥＤ）に適用した場合について説明したが、本発明はこれに限定されるものではなく、他の電子源構造を用いたフィールドエミッションパネルディスプレイに適用しても前述と全く同様に効果が得られることは勿論である。
【手続補正１２】
【補正対象書類名】明細書
【補正対象項目名】図面の簡単な説明
【補正方法】変更
【補正の内容】
【図面の簡単な説明】
【図１】
本発明による画像表示装置の一実施例を模式的に説明する一画素近傍の拡大断面図である。
【図２】
本発明による画像表示装置の他の実施例を模式的に説明する一画素付近の拡大断面図である。
【図３】
本発明による画像表示装置のサージ電流吸収電極の他の実施例による構成を説明する斜視図である。
【図４】
本発明による画像表示装置のサージ電流吸収電極の他の実施例による構成を説明する斜視図である。
【図５】
本発明による画像表示装置のサージ電流吸収電極の他の実施例による構成を説明する斜視図である。
【図６】
電界放出型画像表示装置の基本構造を模式的に説明する一画素近傍の拡大断面図である。
【符号の説明】
ＰＮ１  背面パネル
ＰＮ２  前面パネル
ＳＵＢ１  背面基板
ＳＵＢ２  前面基板
ＣＬ  陰極配線
Ｋ  陰極
Ｅ  電子
ＥＢ  電子ビーム
Ｇ１  制御電極
ＥＨＬ  電子通過孔
ＡＨＬ  電子ビーム通過孔
ＡＨＬ１  電子ビーム通過孔
ＡＨＬ２  電子ビーム通過開口
ＡＨＬ３  電子ビーム通過孔
Ｇ２  サージ電流吸収電極
Ｇ２１  サージ電流吸収電極
Ｇ２２  サージ電流吸収電極
Ｇ２３  サージ電流吸収電極
ＳＧ  スパークギャップ
ＤＣＧ  直流バイアス電源
ＣＳＰ  導電性スペーサ
ＡＤＥ  陽極
ＢＭ  ブラックマトリクス
ＰＨＳ  蛍光体
ＤＣＡ  直流電源